(57)【特許請求の範囲】
【請求項１】
通信システムにおいて、送信側である第１の移動端末が通信モードを決定する方法であって、
受信側である第２の移動端末との通信を要請する通信要請信号を基地局に送信するステップと、
前記第１の移動端末及び前記第２の移動端末がピアツーピア（Ｐ２Ｐ）通信が可能な所定の領域内に位置しないとき、前記基地局からセルラー通信モードへの動作のためのリソース割り当て情報を受信するステップと、
前記第１の移動端末及び前記第２の移動端末が前記所定の領域内に位置するとき、前記基地局から前記セルラー通信モードへの動作のための基準信号を受信して、セルラー通信モードで動作する場合の第１の期待性能を推定し、前記第２の移動端末より所定の時間、所定のリソース、及び所定の信号パターンに関する情報を含む基準信号関連情報を受信するステップと、
前記所定の時間に前記所定のリソース及び前記所定の信号パターンを使用して送信される基準信号を前記第２の移動端末から受信するステップと、
前記基準信号関連情報及び前記受信された基準信号に基づいて同期を取得することによりＰ２Ｐ通信モードで動作する場合の第２の期待性能を推定するステップと、
前記第１の期待性能と前記第２の期待性能とを比較することにより、前記第１の移動端末と前記第２の移動端末との間の通信モードとして前記セルラー通信モード及び前記Ｐ２Ｐ通信モードのいずれか１つを選択するステップと、を含み、
前記第１の期待性能及び第２の期待性能は、サービス品質等級、データ送信率、通信料金、送受信電力レベル、通信容量、信号対雑音比、フレーム誤り率、ビット誤り率、及びシンボル誤り率により定められることを特徴とする方法。
【請求項２】
前記セルラー通信モード及び前記Ｐ２Ｐ通信モードのいずれか１つを選択するステップは、
前記第１の期待性能から前記第２の期待性能を減算することにより差を計算するステップと、
前記差が所定のしきい値より大きいか又は同一である場合に、前記第１の移動端末と前記第２の移動端末との間の通信モードとして前記セルラー通信モードを選択するステップ
と、を含むことを特徴とする請求項１に記載の方法。
【請求項３】
前記セルラー通信モード及び前記Ｐ２Ｐ通信モードのいずれか１つを選択するステップは、
前記第１の期待性能から前記第２の期待性能を減算することにより差を計算するステップと、
前記差が所定のしきい値より小さい場合に、前記第１の移動端末と前記第２の移動端末との間の通信モードとして前記Ｐ２Ｐ通信モードを選択するステップと、を含むことを特徴とする請求項１に記載の方法。
【請求項４】
前記所定のしきい値は、移動端末の特性、料金システム、基地局のサービス領域内の移動端末の数、通信リソースの占有度、及びデータ送信量のうち少なくとも１つに基づいて決定される実数値であることを特徴とする請求項２及び請求項３の中のいずれか１項に記載の方法。
【請求項５】
前記所定の領域は、基地局のセル及び隣接する基地局のセルのうち少なくとも１つを含むことを特徴とする請求項１に記載の方法。
【請求項６】
前記第１の移動端末及び前記第２の移動端末が前記所定の領域内に位置しない場合に、前記基地局から前記セルラー通信モードへの動作のためのリソース割当情報を受信して受信して前記第２の移動端末と前記セルラー通信モードで動作するステップをさらに含むことを特徴とする請求項１に記載の方法。
【請求項７】
前記第１の期待性能及び前記第２の期待性能を基地局にフィードバックするステップをさらに含むことを特徴とする請求項１に記載の方法。
【請求項８】
通信システムにおける通信モードを決定する、送信側である第１の移動端末であって、
受信側である第２の移動端末との通信を要請する通信要請信号を基地局に送信し、
前記第１の移動端末及び前記第２の移動端末がピアツーピア（Ｐ２Ｐ）通信が可能な所定の領域内に位置しないとき、前記基地局からセルラー通信モードへの動作のためのリソース割り当て情報を受信し、
前記第１の移動端末及び前記第２の移動端末が前記所定の領域内に位置するとき、前記基地局から前記セルラー通信モードへの動作のための基準信号を受信して、セルラー通信モードで動作する場合の第１の期待性能を推定し、前記第２の移動端末より所定の時間、所定のリソース、及び所定の信号パターンに関する情報を含む基準信号関連情報を受信し、前記所定の時間に前記所定のリソース及び前記所定の信号パターンを使用して送信される基準信号を前記第２の移動端末から受信し、前記基準信号関連情報及び前記受信された基準信号に基づいて同期を取得することによりＰ２Ｐ通信モードで動作する場合の第２の期待性能を推定し、
前記第１の期待性能と前記第２の期待性能とを比較することにより、前記第１の移動端末と前記第２の移動端末との間の通信モードとして前記セルラー通信モード及び前記Ｐ２Ｐ通信モードのいずれか１つを選択し、
前記第１の期待性能及び第２の期待性能は、サービス品質等級、データ送信率、通信料金、送受信電力レベル、通信容量比率、信号対雑音比、フレーム誤り率、ビット誤り率、及びシンボル誤り率により定められることを特徴とする第１の移動端末。
【請求項９】
前記第１の期待性能から前記第２の期待性能を減算することにより差を計算し、
前記差が所定のしきい値より大きいか又は同一である場合に、前記第１の移動端末と前記第２の移動端末との間の通信モードとして前記セルラー通信モードを選択することを特徴とする請求項８に記載の第１の移動端末。
【請求項１０】
前記第１の期待性能から前記第２の期待性能を減算することにより差を計算し、前記差が所定のしきい値より小さい場合に、前記第１の移動端末と前記第２の移動端末との間の通信モードとして前記Ｐ２Ｐ通信モードを選択することを特徴とする請求項８に記載の第１の移動端末。
【請求項１１】
前記所定のしきい値は、移動端末の特性、料金システム、基地局のサービス領域内の移動端末の数、通信リソースの占有度、及びデータ送信量のうち少なくとも１つに基づいて決定される実数値であることを特徴とする請求項９及び請求項１０の中のいずれか１項に記載の第１の移動端末。
【請求項１２】
前記所定の領域は、基地局のセル及び隣接する基地局のセルの中の少なくとも１つを含むことを特徴とする請求項８に記載の第１の移動端末。
【請求項１３】
前記第１の移動端末及び前記第２の移動端末が前記所定の領域内に位置しない場合に、前記基地局から前記セルラー通信モードへの動作のためのリソース割当情報を受信して受信して前記第２の移動端末と前記セルラー通信モードで動作することを特徴とする請求項８に記載の第１の移動端末。
【請求項１４】
前記第１の移動端末が前記第１の期待性能及び前記第２の期待性能を基地局にフィードバックすることを特徴とする請求項８に記載の第１の移動端末。
【発明の詳細な説明】
【技術分野】
【０００１】
本発明は、一般的に、通信モードを決定する方法及びシステムに関し、特に、移動端末（Mobile Station：以下、“ＭＳ”と称する。）間の通信モードを決定する方法及びシステムに関する。
【背景技術】
【０００２】
通信システムにおいて、送信側ＭＳであるソース（source）ＭＳ（以下、“ＭＳ_Ｓ”と称する。）及び受信側ＭＳであるデスティネーション（destination）ＭＳ（以下、“ＭＳ_Ｄ”と称する。）間の２つの通信モードは、大きくセルラー（cellular）通信モード及びピアツーピア（Peer-To-Peer：以下、“Ｐ２Ｐ”と称する。）通信モードに区分される。上記セルラー通信モードは、ＭＳ_Ｓが基地局（Base Station：以下、“ＢＳ”と称する。）を介してＭＳ_Ｄと通信するモードであり、Ｐ２Ｐ通信モードは、ＭＳ_ＳがＢＳを通過せずＭＳ_Ｄと直接通信するモードである。
【０００３】
図１を参照して、従来のセルラー通信モード及びＰ２Ｐ通信モードについて説明する。
【０００４】
図１は、従来の通信システムにおけるセルラー通信モード動作及びＰ２Ｐ通信モード動作を示す図である。
【０００５】
図１を参照すると、上記通信システムは、ＢＳ１０１と、ソースＭＳ１０３（ＭＳ_Ｓ）と、第１のデスティネーションＭＳ１０５（ＭＳ_Ｄ１）と、第２のデスティネーションＭＳ１０７（ＭＳ_Ｄ２）と、を含む。
【０００６】
図１において、ＭＳ_Ｓは、セルラー通信モードでＭＳ_Ｄ２と通信する。ＭＳ_Ｓがセルラー通信モードを使用する理由は、ＭＳ_Ｄ２がＭＳ_Ｓにより送信された信号の最大距離内に含まれていないためである。ここで、上記最大距離は、ＭＳ_Ｓ１０３及び第２のＭＳ_Ｄ１０７に知られており、ＭＳ_Ｓ１０３がＰ２Ｐ通信モードを使用して第２のＭＳ_Ｄ１０７と通信することが好ましいと判断される距離を意味する。例えば、上記通信システムにより予め定められた最大距離を‘ｄ’であると仮定すると、ＭＳ_ＳとＭＳ_Ｄ２との間の距離は、ｄより距離Δだけ大きい。ＭＳ_ＳとＭＳ_Ｄ２との間の総距離が‘ｄ＋Δ’であるために、ＭＳ_Ｄ２は、‘ｄ’内に位置せず、ＭＳ_Ｓ及びＭＳ_Ｄ２は、セルラー通信モードを使用する。逆に、ＭＳ_Ｄ１は、距離‘ｄ’内に位置し、ＭＳ_Ｓは、Ｐ２Ｐ通信モードにおいて、ＭＳ_Ｄ１と通信する。
【０００７】
しかしながら、ＭＳ_Ｄ１が距離‘ｄ’内にあるとしても、ＭＳ_ＳとＭＳ_Ｄ１との間のＰ２Ｐ通信のために使用可能なリソースが存在しないか、又はＭＳ_Ｓ及びＭＳ_Ｄ１がＰ２Ｐ通信モードで動作するための合意動作が完了しなかった場合には、ＭＳ_Ｓは、セルラー通信モードを用いてＭＳ_Ｄ１と通信する。
【０００８】
上述したように、ＭＳ_ＳとＭＳ_Ｄとの間のＰ２Ｐ通信を容易にするためには、Ｐ２Ｐ通信に関する双方の合意がなされなければならず、Ｐ２Ｐ通信のための準備が完了しなければならない。ここで、Ｐ２Ｐ通信のための準備とは、ＭＳ_ＳをＰ２Ｐ通信モードで動作して信号を送信するように設定し、ＭＳ_ＤをＰ２Ｐ通信モードで動作して信号を受信するように設定することを意味する。
【０００９】
したがって、ＭＳが他のＭＳと通信することを希望する際には、通信モードの選択及び通信モード間の双方の合意を含む一連の過程を毎回経らなければならない。これらの過程は、時間を消費し、ＭＳユーザーに不便さを及ぼす。さらに、Ｐ２Ｐ通信モードが好ましい状況でも、Ｐ２Ｐ通信モードについての合意に達していないと、Ｐ２Ｐ通信モードで動作することができない。
【特許文献１】韓国特許出願公開第２００３−００２４４３５号
【発明の開示】
【発明が解決しようとする課題】
【００１０】
上述のような背景に鑑みてなされたものであり、本発明の目的は、通信システムにおいて、ＭＳ間の通信モードを自動で決定し、ＭＳ間の通信モードについての合意動作なしに、上記決定された通信モードでＭＳを動作する方法及びシステムを提供することにある。
【課題を解決するための手段】
【００１１】
上記のような目的を達成するために、本発明の一態様によれば、通信システムにおいて、送信側である第１の移動端末が通信モードを決定する方法が提案される。かかる方法は、受信側である第２の移動端末との通信を要請する通信要請信号を基地局に送信するステップと、上記第１の移動端末及び上記第２の移動端末がピアツーピア（Ｐ２Ｐ）通信が可能な所定の領域内に位置しないとき、前記基地局からセルラー通信モードへの動作のためのリソース割り当て情報を受信するステップと、上記第１の移動端末及び上記第２の移動端末が上記所定の領域内に位置すると、上記基地局から上記セルラー通信モードへの動作のための基準信号を受信して、セルラー通信モードで動作する場合の第１の期待性能を推定し、上記第２の移動端末より所定の時間、所定のリソース、及び所定の信号パターンに関する情報を含む基準信号関連情報を受信するステップと、上記所定の時間に上記所定のリソース及び上記所定の信号パターンを使用して送信される基準信号を上記第２の移動端末から受信するステップと、上記基準信号関連情報及び上記受信された基準信号に基づいて同期を取得することによりＰ２Ｐ通信モードで動作する場合の第２の期待性能を推定するステップと、上記第１の期待性能と上記第２の期待性能とを比較することにより、上記第１の移動端末と上記第２の移動端末との間の通信モードとして上記セルラー通信モード及び上記Ｐ２Ｐ通信モードのいずれか１つを選択するステップと、を含むことを特徴とする。ここで上記第１の期待性能及び第２の期待性能は、サービス品質等級、データ送信率、通信料金、送受信電力レベル、通信容量、信号対雑音比、フレーム誤り率、ビット誤り率、及びシンボル誤り率により定められる。
【００１２】
本発明の他の態様によれば、通信システムにおける通信モードを決定する、送信側である第１の移動端末が提案される。かかる第１の移動端末は、受信側である第２の移動端末との通信を要請する通信要請信号を基地局に送信し、上記第１の移動端末及び上記第２の移動端末がピアツーピア（Ｐ２Ｐ）通信が可能な所定の領域内に位置しないとき、前記基地局からセルラー通信モードへの動作のためのリソース割り当て情報を受信し、上記第１の移動端末及び上記第２の移動端末が上記所定の領域内に位置すると、上記基地局から上記セルラー通信モードへの動作のための基準信号を受信して、セルラー通信モードで動作する場合の第１の期待性能を推定し、上記第２の移動端末より所定の時間、所定のリソース、及び所定の信号パターンに関する情報を含む基準信号関連情報を受信し、上記所定の時間に上記所定のリソース及び上記所定の信号パターンを使用して送信される基準信号を上記第２の移動端末から受信し、上記基準信号関連情報及び上記受信された基準信号に基づいて同期を取得することによりＰ２Ｐ通信モードで動作する場合の第２の期待性能を推定し、上記第１の期待性能と上記第２の期待性能とを比較することにより、上記第１の移動端末と上記第２の移動端末との間の通信モードとして上記セルラー通信モード及び上記Ｐ２Ｐ通信モードのいずれか１つを選択することを特徴とする。ここで、上記第１の期待性能及び第２の期待性能は、サービス品質等級、データ送信率、通信料金、送受信電力レベル、通信容量比率、信号対雑音比、フレーム誤り率、ビット誤り率、及びシンボル誤り率により定められる。
【発明の効果】
【００１３】
本発明の実施形態は、通信システムにおけるＭＳ間の最適の通信モードを自動で決定し、ＭＳ間の個別の合意動作なしに、決定された最適の通信モードで動作することにより、ユーザーは、さらに効率的な通信サービスを受信することができる。
【発明を実施するための最良の形態】
【００１４】
本発明の詳細な構成および要素のように、本発明の詳細な説明で定義される特徴は、本発明の実施形態の包括的な理解を助けるために提供される。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００１５】
本発明の実施形態は、通信システムにおける移動端末（Mobile Station：以下、“ＭＳ”と称する。）間の最適の通信モードを自動で選択し、ＭＳ間の通信モードの合意動作なしに、上記選択された通信モードを実行するための方法及びシステムを提案する。
【００１６】
本発明を説明するに先立って、ＭＳ間の通信を実行するための通信モードについて簡単に説明する。上記通信モードは、セルラー（cellular）通信モード及びピアツーピア（Peer To Peer：以下、“Ｐ２Ｐ”と称する。）通信モードに大別される。上記セルラー通信モードにおいて、送信側ＭＳであるソース（source）ＭＳ（以下、“ＭＳ_Ｓ”と称する。）が基地局（Base Station：以下、“ＢＳ”と称する。）を介して受信側ＭＳであるデスティネーション（destination）ＭＳ（以下、“ＭＳ_Ｄ”と称する。）と通信する一方で、Ｐ２Ｐ通信モードにおいて、ＭＳ_Ｓは、ＢＳを通過せず、ＭＳ_Ｄと直接通信する。
【００１７】
図２及び図３を参照して、本発明の実施形態による通信システムにおけるＭＳ_ＳがＭＳ_Ｄとの通信のための通信モードを選択する動作について説明する。
【００１８】
図２は、本発明の実施形態による通信システムにおけるＭＳ_Ｓが、ＭＳ_Ｓ自身とＭＳ_Ｄとの間の通信モードを決定する動作の信号フローを示す図である。
【００１９】
図２を参照すると、上記通信システムは、ソースＭＳ（ＭＳ_Ｓ２０１）と、デスティネーションＭＳ（ＭＳ_Ｄ２０３）と、ＢＳ２０５と、を含む。
【００２０】
ＭＳ_Ｄ２０３に送信されるデータが発生すると、ＭＳ_Ｓ２０１は、ステップ２０７で、ＭＳ_Ｄ２０３との通信を要請する通信要請信号をＢＳ２０５に送信する。ＢＳ２０５は、ステップ２０９で、ＭＳ_Ｓ２０１及びＭＳ_Ｄ２０３が同一のセル内に存在するか否かを検査する。上記検査の結果、ＭＳ_Ｓ２０１及びＭＳ_Ｄ２０３が相互に異なるセルに存在すると判定すると、ＢＳ２０５は、ステップ２１１で、ＭＳ_Ｓ２０１とＭＳ_Ｄ２０３との間の通信のためのセルラー通信モードを選択し、ステップ２１３で、セルラー通信モードでの動作のための（すなわち、セルラー通信のための）リソース割当情報をＭＳ_Ｓ２０１に送信する。ステップ２２９で、ＭＳ_Ｓ２０１は、上記受信されたリソース割当情報に従ってＭＳ_Ｄ２０３とセルラー通信モードで動作する。
【００２１】
一方、上記検査の結果、ＭＳ_Ｓ２０１及びＭＳ_Ｄ２０３が同一のセル内に存在すると判定した場合は、ＢＳ２０５は、ステップ２１５で、制御信号をＭＳ_Ｄ２０３に送信する。上記制御情報は、ＭＳ_Ｄ２０３が所定の時間、所定のリソース、及び所定の信号パターンを使用して、Ｐ２Ｐ通信モード（すなわち、Ｐ２Ｐ通信）で動作するための基準信号をＭＳ_Ｓ２０１に送信するように制御する。また、ＢＳ２０５は、ステップ２１７で、Ｐ２Ｐ通信基準信号に関連した情報、すなわち、上記所定の時間、リソース、及び信号パターンに関する情報をＭＳ_Ｓ２０１に送信する。
【００２２】
図２の実施形態において、ＭＳ_Ｓ２０１がＭＳ_Ｄ２０３とのＰ２Ｐ通信のために必要とされる基準信号関連情報に関する知識が全くない場合について説明した。しかしながら、ＭＳ_Ｓ２０１は、ＢＳ２０５から受信されたブロードキャスト情報からＰ２Ｐ通信のための基準信号関連情報を取得することができる。この際、ステップ２１７は省略される。また、ＢＳ２０５は、固定値情報が上記基準信号関連情報（すなわち、所定の時間、リソース、及び信号パターンに関する情報）に含まれている場合に、通信システムにおいて、固定値に関する情報をＭＳ_Ｓ２０１に送信しないこともある。
【００２３】
一方、ＭＳ_Ｓ２０１は、ステップ２１９で、ＢＳ２０５からセルラー通信のための基準信号を受信し、セルラー通信基準信号によりＭＳ_Ｄ２０３とのセルラー通信の期待性能（以下、“セルラー通信期待性能”と称する。）を推定する。上記セルラー通信基準信号としては、プリアンブル（preamble）信号、パイロット（pilot）信号、及びデータ信号などがあり、これら信号のうち少なくとも１つによりセルラー通信期待性能は推定される。ＭＳ_Ｓ２０１は、例えば、サービス品質（Quality of Service：ＱｏＳ）等級、データ送信率、通信料金比率、送受信電力レベル、通信容量、信号対雑音比（Signal-to-Noise Ratio：ＳＮＲ）、フレーム誤り率（Frame Error Rate：ＦＥＲ）、ビット誤り率（Bit Error Rate：ＢＥＲ）、及びシンボル誤り率（Symbol Error Rate：ＳＥＲ）の中の少なくとも１つによりセルラー通信期待性能を推定する。また、本実施形態では、上記セルラー通信期待性能がステップ２１９で推定されるが、ステップ２２５で通信モードを決定する前であれば、いかなる時点でも、上記推定が行われることができることに留意すべきである。
【００２４】
ＭＳ_Ｄ２０３は、ステップ２２１で、ＢＳ２０５から受信した制御信号に従って、所定の時間で所定のリソース及び所定の信号パターンを使用して、Ｐ２Ｐ通信基準信号をＭＳ_Ｓ２０１に送信する。Ｐ２Ｐ通信基準信号を受信すると、ＭＳ_Ｓ２０１は、ステップ２２３で、上記受信された信号を使用して、Ｐ２Ｐ通信の期待性能（以下、“Ｐ２Ｐ通信期待性能”と称する。）を推定する。Ｐ２Ｐ通信期待性能の推定は、少なくとも２つの方法で考慮されることができる。ステップ２２１で受信されたＰ２Ｐ通信基準信号及びステップ２１７で受信された基準信号関連情報に基づいて、同期（synchronization）を取得することによりＰ２Ｐ通信期待性能を推定する方法と、Ｐ２Ｐ通信基準信号の信号レベルを測定することによりＰ２Ｐ通信期待性能を推定する方法とがある。また、例えば、サービス品質（Quality of Service：ＱｏＳ）等級、データ送信率、通信料金比率、送受信電力レベル、通信容量、信号対雑音比（Signal-to-Noise Ratio：ＳＮＲ）、フレーム誤り率（Frame Error Rate：ＦＥＲ）、ビット誤り率（Bit Error Rate：ＢＥＲ）、及びシンボル誤り率（Symbol Error Rate：ＳＥＲ）の中の少なくとも１つによりＰ２Ｐ通信期待性能を推定してもよい。
【００２５】
ステップ２１９及びステップ２２３で行われた推定に基づいて、ＭＳ_Ｓ２０１は、ステップ２２５で、ＭＳ_Ｄ２０３との通信モードを決定する。例示的な一実現例では、ＭＳ_Ｓ２０１は、ステップ２１９で推定されたセルラー通信期待性能からステップ２２３で推定されたＰ２Ｐ通信期待性能を減算し、この差をしきい値と比較することにより、ＭＳ_Ｄ２０３との通信モードを決定する。上記しきい値は、ＭＳの特性、料金システム、ＢＳのサービス領域内のＭＳの数、通信リソースの占有度、及びデータ送信量等のうち少なくとも１つに従って決定される実数値である。
【００２６】
上記検査の結果、上記差が上記しきい値より大きいか又は同一である場合に、ＭＳ_Ｓ２０１は、ステップ２２５で、セルラー通信モードを選択し、ステップ２２９で、ＭＳ_Ｄ２０３とセルラー通信モードで動作する。他方、上記差が上記しきい値未満である場合に、ＭＳ_Ｓ２０１は、ステップ２２５で、Ｐ２Ｐ通信モードを選択し、ステップ２２７で、Ｐ２Ｐ通信モードでＭＳ_Ｄ２０３と通信する。
【００２７】
図３は、本発明の実施形態による通信システムにおいて、ＭＳ_ＳがＭＳ_Ｓ自身とＭＳ_Ｄとの間の通信モードを決定するための動作を示すフローチャートである。
【００２８】
図３を参照すると、ステップＳ３０１で、ＭＳ_Ｄに送信されるデータが発生すると、ＭＳ_Ｓは、ＭＳ_Ｄとの通信を要請する通信要請信号をＢＳに送信する。ステップＳ３０３で、ＭＳ_Ｓは、セルラー通信のためのリソース割当情報をＢＳから受信したか否かを検査する。ＭＳ_Ｓが上記リソース割当情報を受信した場合には、ＭＳ_Ｓは、ステップＳ３１７で、ＭＳ_Ｄとセルラー通信モードで動作する。ＭＳ_Ｓが上記リソース割当情報を受信しなかった場合には、ＭＳ_Ｓは、ステップＳ３０５で、Ｐ２Ｐ通信基準信号に関連した情報をＢＳから受信し、ステップＳ３０７で、通信モードを決定するために、ＭＳ_Ｄとのセルラー通信期待性能を推定する。
【００２９】
ステップＳ３０９で、ＭＳ_Ｓは、ＭＳ_ＤからＰ２Ｐ通信基準信号を受信した後に、ステップＳ３１１で、ＭＳ_Ｓは、Ｐ２Ｐ通信期待性能を推定する。例示的な一実現例では、ＭＳ_Ｓは、Ｐ２Ｐ通信基準信号及び基準信号関連情報に基づいて同期を取得するか、又はＰ２Ｐ通信基準信号の信号レベルを測定することにより、ＭＳ_ＤとのＰ２Ｐ期待性能を推定する。
【００３０】
ＭＳ_Ｓは、ステップＳ３１３で、セルラー通信期待性能からＰ２Ｐ通信期待性能を減算することにより計算された差を所定のしきい値と比較する。上記検査の結果、この差が所定のしきい値より大きいか又は同一である場合は、ＭＳ_Ｓは、ステップＳ３１７で、ＭＳ_Ｄとの通信のためのセルラー通信モードを選択する。他方、この差が所定のしきい値より小さい場合は、ＭＳ_Ｓは、ステップＳ３１５で、ＭＳ_ＤとＰ２Ｐ通信モードで動作する。
【００３１】
図３では、ＭＳ_Ｓがセルラー通信期待性能及びＰ２Ｐ通信期待性能を推定することにより、ＭＳ_Ｓ自身とＭＳ_Ｄとの通信のための通信モードを決定する場合について説明した。他の例示的実施形態では、ＭＳ_Ｓは、上記セルラー通信期待性能及びＰ２Ｐ通信期待性能をＢＳにフィードバックし、ＢＳが、ＭＳ_ＳとＭＳ_Ｄとの間の通信モードを決定する役割を果たすことができる。
【００３２】
次いで、図４及び図５を参照して、本発明の実施形態によるＢＳのサービス領域、すなわち、ＢＳの送信信号が及ぶことができる最大距離に対応する領域内のＭＳ間の通信モードを決定するためのＢＳの動作について説明する。
【００３３】
図４は、本発明の実施形態による通信システムにおけるＢＳがＢＳのサービス領域内のＭＳ間の通信モードを決定する動作の信号フローを示す図である。
【００３４】
図４を参照すると、上記通信システムは、ソースＭＳ（ＭＳ_Ｓ４０１）と、デスティネーションＭＳ（ＭＳ_Ｄ４０３）と、ＢＳ４０５とを含む。ここで、ＭＳ_Ｓ４０１及びＭＳ_Ｄ４０３がＢＳ４０５のサービス領域内に含まれると仮定する。
【００３５】
ＭＳ_Ｄ４０３に送信されるデータが発生すると、ＭＳ_Ｓ４０１は、ステップ４０７で、ＭＳ_Ｄ４０３との通信を要請する通信要請信号をＢＳ４０５に送信する。ＭＳ_Ｓ４０１及びＭＳ_Ｄ４０３は、ステップ４０９及びステップ４１１で、位置情報取得装置、例えば、全地球測位システム（Global Positioning System：以下、“ＧＰＳ”と称する。）を使用して自身の位置を確認し、上記確認された位置情報をＢＳ４０５に送信する。例示的な一実現例では、ステップ４０９及びステップ４１１は、システム状況に基づいて省略されてもよい。すなわち、ＢＳ４０５は、ＭＳ_Ｓ４０１及びＭＳ_Ｄ４０３の位置に関する情報を事前に取得してもよく、又は任意の方法で決定してもよい。例えば、ＢＳ４０５は、自分を基準にするＭＳ_Ｓ４０１及びＭＳ_Ｄ４０３の角度、ＭＳ_Ｓ４０１及びＭＳ_Ｄ４０３からのレンジング（ranging）信号の強度、及びＭＳ_Ｓ４０１とＭＳ_Ｄ４０３との間の距離を推定することにより、上記位置情報を決定してもよい。
【００３６】
ＢＳ４０５は、ステップ４１３で、ＭＳ_Ｓ４０１及びＭＳ_Ｄ４０３の受信された位置情報に基づいてセルラー通信期待性能を推定し、ステップ４１５で、ＭＳ_Ｓ４０１及びＭＳ_Ｄ４０３が所定の領域内に存在するか否かを検査する。本発明の例示的実施形態では、上記所定の領域として同一のセルを一例にして説明したが、上記所定の領域は、隣接ＢＳのサービス領域、すなわち、隣接セル領域であることもできる。また、本発明の実施形態では、ステップ４１３で、セルラー通信期待性能が推定されるが、この過程は、通信モードを決定する前に、すなわち、ステップ４２３の前であればいかなる時点でも、上記推定が行われることができることに留意しなければならない。
【００３７】
上記検査の結果、ＭＳ_Ｓ４０１及びＭＳ_Ｄ４０３が相互に異なるセルに存在する場合に、ＢＳ４０５は、ステップ４１７で、ＭＳ_Ｓ４０１とＭＳ_Ｄ４０３との間の通信モードとしてセルラー通信モードを決定し、ステップ４１９で、セルラー通信のためのリソース割当情報をＭＳ_Ｓ４０１に送信する。したがって、ＭＳ_Ｓ４０１は、ステップ４２７で、上記リソース割当情報に基づいてセルラー通信モードで動作する。
【００３８】
他方、上記検査の結果、ＭＳ_Ｓ４０１及びＭＳ_Ｄ４０３が同一のセル内に存在する場合に、ステップ４２１で、ＢＳ４０５は、ステップ４０９及びステップ４１１で受信された位置情報に基づいて計算されたＭＳ_Ｓ４０１とＭＳ_Ｄ４０３との間の距離に関する情報を使用してＰ２Ｐ通信期待性能を推定する。その後、ＢＳ４０５は、ステップ４２３で、セルラー通信期待性能からＰ２Ｐ通信期待性能を減算することにより計算された差を所定のしきい値と比較し、ＭＳ_Ｓ４０１とＭＳ_Ｄ４０３との間の通信モードを決定する。具体的に言うと、上記差が上記しきい値より大きいか又は同一である場合に、ステップ４２７で、ＢＳ４０５は、上記通信モードとしてセルラー通信モードを選択し、ＭＳ_Ｓ４０１は、セルラー通信モードでＭＳ_Ｄ４０３と通信する。上記差が上記しきい値未満である場合に、ステップ４２５で、ＢＳ４０５は、上記通信モードとしてＰ２Ｐ通信モードを選択し、ＭＳ_Ｓ４０１は、Ｐ２Ｐ通信モードでＭＳ_Ｄ４０３と通信する。
【００３９】
図５は、本発明の実施形態による通信システムにおけるＢＳが、ＢＳ自身のサービス領域内のＭＳ間の通信モードを決定する動作を示すフローチャートである。
【００４０】
図５を参照すると、ステップＳ５０１で、ＢＳは、ＭＳ_ＳからＭＳ_Ｄとの通信を要請する通信要請信号を受信する。ステップＳ５０３で、ＢＳは、ＭＳ_Ｓ及びＭＳ_Ｄから対応するＭＳの位置情報を受信するか、又はＭＳ_ＳとＭＳ_Ｄとの間の距離を推定することにより、対応するＭＳの位置情報を取得する。ステップＳ５０５で、ＢＳは、ＭＳ_Ｓ及びＭＳ_Ｄの位置情報に基づいてセルラー通信期待性能を推定する。
【００４１】
ステップ５０７で、ＢＳは、ＭＳ_Ｓ及びＭＳ_Ｄが同一のセル内に存在するか否かを検査する。上記検査の結果、ＭＳ_Ｓ及びＭＳ_Ｄが相互に異なるセルに存在すると判定すると、ＢＳは、ステップＳ５１５で、セルラー通信のためのリソース割当情報をＭＳ_Ｓに送信し、ステップ５１７で、セルラー通信モードで動作する。
【００４２】
他方、上記検査の結果、ＭＳ_Ｓ及びＭＳ_Ｄが同一のセル内に存在すると判定する場合は、ＢＳは、ステップＳ５０９で、ＭＳ_ＳとＭＳ_Ｄとの間の距離に関する情報を使用してＰ２Ｐ通信期待性能を推定する。その後、ＢＳは、ステップＳ５１１で、セルラー通信期待性能からＰ２Ｐ通信期待性能を減算することにより計算された差を所定のしきい値と比較する。上記検査の結果、上記差がしきい値未満である場合に、ＢＳは、ステップＳ５１３で、Ｐ２Ｐ通信モードで動作する。他方、上記差がしきい値より大きいか又は同一である場合に、ＢＳは、ステップＳ５１７で、セルラー通信モードで動作する。
【００４３】
以上、本発明を具体的な実施形態を参照して詳細に説明してきたが、本発明の範囲及び精神を逸脱することなく様々な変形が可能であるということは、当該技術分野における通常の知識を持つ者には明らかであり、本発明の範囲は、上述の実施形態に限定されるべきではなく、特許請求の範囲の記載及びこれと均等なものの範囲内で定められるべきである。
【図面の簡単な説明】
【００４４】
【図１】セルラー通信モード及びＰ２Ｐ通信モードを使用する従来の通信システムを示す図である。
【図２】本発明の実施形態による通信システムにおけるＭＳ_ＳがＭＳ_ＳとＭＳ_Ｄとの間の通信モードを決定する動作の信号フローを示す図である。
【図３】本発明の実施形態による通信システムにおけるＭＳ_ＳがＭＳ_ＳとＭＳ_Ｄとの間の通信モードを決定する動作を示すフローチャートである。
【図４】本発明の実施形態による通信システムにおけるＢＳがＢＳのサービス領域内のＭＳ間の通信モードを決定する動作の信号フローを示す図である。
【図５】本発明の実施形態による通信システムにおけるＢＳがＢＳのサービス領域内のＭＳ間の通信モードを決定する動作を示すフローチャートである。
【図１】
0004995153.tif 000002
【図２】
0004995153.tif 000003
【図３】
0004995153.tif 000004
【図４】
0004995153.tif 000005
【図５】
0004995153.tif 000006